(57)【要約】      （修正有）【課題】回路を複雑にすることなく、走査方向の変更に応じて変化する出力画像の調整を行う。【解決手段】ステップＳ１０２において液晶パネルが開いていると判断し、ステップＳ１０３でパネルが回転していると判断した場合、ＣＰＵは、左右上下反転表示用の設定信号を出力する。サンプルホールド回路は、左右反転と上下反転に対応したタイミングでサンプリングを行う。このサンプリングのタイミングの切替に伴って輝度階調および色度ズレが発生するのを防ぐため、表示画像処理回路は、ステップＳ１０９での変更後の処理設定値に基づき、入力した画像信号のうち少なくとも１色の色信号の値を調整して出力する。【選択図】図９
2006018226.tif 000002
【特許請求の範囲】
【請求項１】
走査方向を変更可能な画像表示手段と、
入力した画像信号を処理し前記画像表示手段に対して出力する処理手段と、
前記画像表示手段の走査方向に対応した処理設定を前記処理手段に対して行う設定手段と、
を有することを特徴とする画像表示装置。
【請求項２】
前記画像表示手段は、通常走査方向に対して、左右反転、上下反転のいずれか少なくとも１つの走査方向に変更可能であることを特徴とする請求項１に記載の画像表示装置。
【請求項３】
前記画像表示手段は、装置本体に対して位置を変更可能なパネルにより構成されていることを特徴とする請求項２に記載の画像表示装置。
【請求項４】
前記パネルの位置が基準位置にある場合は通常方向、前記パネルが第１方向に回転した位置にある場合は左右反転方向、前記パネルが第２方向に回転した位置にある場合は上下反転方向に、走査方向を変更する変更手段をさらに有することを特徴とする請求項３に記載の画像表示装置。
【請求項５】
前記画像信号は複数の色信号から構成され、前記設定手段は、少なくとも１つの前記色信号の出力値を調整するための処理設定を行うことを特徴とする請求項１〜４のいずれかに記載の画像表示装置。
【請求項６】
前記処理手段は、前記複数の色信号のためのサンプルホールド回路を含み、前記サンプルホールド回路は、前記画像表示手段の走査方向の変化に応じて出力信号特性が変化することを特徴とする請求項５に記載の画像表示装置。
【請求項７】
前記サンプルホールド回路は、前記画像表示手段が備える表示画素の配列と前記表示画素に対する走査方向とに基づき、各色信号のサンプルホールドのタイミングを変更することを特徴とする請求項６に記載の画像表示装置。
【請求項８】
前記処理手段は、前記設定手段による処理設定に基づき、前記複数の色信号の出力値を変更する出力値変更手段を含むことを特徴とする請求項５〜７のいずれかに記載の画像表示装置。
【請求項９】
前記出力値変更手段は、色信号の輝度及びコントラストの少なくとも１つを変更することを特徴とする請求項８に記載の画像表示装置。
【請求項１０】
前記処理設定を予め記憶しておく設定値記憶手段をさらに有することを特徴とする請求項１〜９のいずれかに記載の画像表示装置。
【請求項１１】
走査方向を変更可能な画像表示手段と、入力した画像信号を処理し前記画像表示手段に対して出力する処理手段と、を有する画像表示装置の設定方法であって、
前記画像表示手段の走査方向に対応した処理設定を前記処理手段に対して行う設定工程、
を有することを特徴とする画像表示装置の設定方法。
【発明の詳細な説明】
【技術分野】
【０００１】
本発明は、画像表示の走査方向を変更可能な画像表示装置及び画像表示装置の設定方法に関するものである。
【背景技術】
【０００２】
デジタルカメラには、撮影し易いように、デジタルカメラ本体の背面に液晶表示パネルが固定的に配置されているものがある。しかし、液晶パネル表示部の角度が本体に対して固定されているので、アングル撮影をする際に、利用者は、画角内の被写体とその構図を視覚的に確認しないまま、撮影を行わざるを得なかった。その結果、利用者の撮影したい対象が撮影範囲からはみ出すことがあった。
【０００３】
そこで、バリアングル機構を有する液晶パネル表示部を備えるデジタルカメラが提案された。この種のデジタルカメラでは、アングル撮影時には、カメラ本体から左右方向に液晶パネル表示部を開き、さらに、開いた液晶パネル表示部を上下方向に回転させることができる。したがって、利用者は、液晶パネル表示部を見ながら構図を合わせることで、被写体を確認しながら撮影できるようになった。
【０００４】
しかし、このままでは、液晶パネル表示部をカメラ本体に収納した状態と、カメラ本体から開いて回転させた状態では、画像の表示状態が逆さまになる。すなわち、収納状態において、横方向について液晶パネル表示部を左から右方向へとスキャンし、縦方向について上から下方向へとスキャンするといった、通常スキャンを行っていたとする。この場合、開いて回転させた状態では、左右及び上下のスキャン方向の関係が通常スキャンに対して逆になってしまう。
【０００５】
そこで、液晶パネル表示部をカメラ本体に収納した状態では、液晶パネル表示部に表示する画像の表示方向は通常スキャン方向とし、液晶パネル表示部を開き回転させた状態では、画像の表示方向は左右反転及び上下反転スキャン方向とすることで、液晶パネル表示部の向きに応じた表示を行っていた。
【０００６】
しかし、液晶パネル表示部を開いて回転させると、液晶パネル表示部の画素配列における左右及び上下の画素色と各スキャン方向の関係も反転してしまう。このとき、液晶構造の電気的特性により画面の色合いが変化してしまい、人の目には色合いが変わるとともに画面の明るさが変化したように感じられる。このような色合いの変化を改善する方法として、画像の表示方向に応じて走査信号の選択電圧を生成することにより、画像の表示方向の切り換えに伴って画面の明るさを変更することができる技術が提案されている（特許文献１）。これにより、表示方向の切り換え前後で画面の色合いが変化しても、色合いの変化に起因して使用者が感ずる明るさを補正できる。
【特許文献１】特開２０００−１７２２３３号公報
【発明の開示】
【発明が解決しようとする課題】
【０００７】
しかしながら、上記公報に記載の技術では、表示方向の切り換えに応じて、各画像信号の調整と走査信号の選択電圧の調整の両方を行わなければならず、調整要素の多さにより回路が複雑化してしまう問題が生じる。また、色合いの変化は上記公報のような液晶構造の電気的特性に起因するものに限らず、画像信号のサンプルホールドのタイミング等、前段の信号処理回路の特性に起因するものがある。この場合、液晶素子自体の選択電圧を調整しても、適切な色合いの調整を行うことは困難である。
【０００８】
本発明は上述した問題点を解決するためのものであり、回路を複雑にすることなく、走査方向の変更に応じて変化する出力画像の調整を行うことができる画像表示装置及び画像表示装置の設定方法を提供することを目的とする。
【課題を解決するための手段】
【０００９】
上記目的を達成するために、本発明の画像表示装置は、走査方向を変更可能な画像表示手段と、入力した画像信号を処理し前記画像表示手段に対して出力する処理手段と、前記画像表示手段の走査方向に対応した処理設定を前記処理手段に対して行う設定手段と、を有することを特徴とする。
【００１０】
また、本発明の画像表示装置の画像表示方法は、走査方向を変更可能な画像表示手段と、入力した画像信号を処理し前記画像表示手段に対して出力する処理手段と、を有する画像表示装置の設定方法であって、前記画像表示手段の走査方向に対応した処理設定を前記処理手段に対して行う設定工程、を有することを特徴とする。
【発明の効果】
【００１１】
本発明によれば、回路を複雑にすることなく、走査方向の変更に応じて変化する出力画像の調整を行うことができる。
【発明を実施するための最良の形態】
【００１２】
以下、図面を参照して、本発明の実施の形態を詳細に説明する。
【００１３】
図１は、本実施形態のデジタルカメラの概要を示す構成図である。１は、デジタルカメラ本体、２は、カメラ本体１の電源をオン／オフし、撮影モード及び再生モードを切り換える本体電源スイッチ兼用のモードスイッチである。３は、レリーズスイッチ、４は、撮影画像表示・シャッタ速度、絞り数値撮影枚数及びメニュー等を表示するバリアングル機構を有する液晶パネル表示部である。５は、メニューに入る為のメニューキーである。６は、メニューを操作する十字操作キーである。
【００１４】
図２は、図１に示すデジタルカメラの制御部の概略構成を示すブロック図である。１１は、デジタルカメラ１の各部に電源電圧を供給する電源供給部、１２は、デジタルカメラ１全体を制御するＣＰＵ、１３は、画像を撮像するＣＣＤ撮像素子を含む撮像部、１４は、撮像した画像を処理する撮像画像処理部、１５は、画像データを記憶する記憶部である。
【００１５】
１６は、撮影画像を表示し、デジタルカメラ１の状態を外部に表示するバリアングル機構を有する液晶パネル表示部、１７は、液晶パネル表示部１６の位置を検出する液晶パネル位置検出部、１７１は、液晶パネル表示部１６の開閉を検出する開閉検出スイッチ、１７２は、液晶パネル表示部１６のアングルを検出するアングル検出スイッチである。１８は、カメラ１への操作を行う操作部である。
【００１６】
図２には示されていないが、ＣＰＵ１２には、デジタルカメラ１の撮影及び再生に必要な諸々の回路等がさらに接続されており、ＣＰＵ１２は、不図示のＲＯＭに格納された所定のプログラムに従って上述の各部及び図示しない回路等の動作を制御する。
【００１７】
図３は、液晶パネル表示部１６の概略構成を示すブロック図である。１６１は、表示用液晶パネルである。１６２は、入力される画像信号を液晶パネル表示用に画像処理を行う表示画像処理回路である。１６３は、液晶パネル１６１を駆動及び制御する駆動制御回路である。１６４は、表示画像処理回路１６２のタイミング信号及び液晶パネル駆動回路１６３のタイミング信号を生成するタイミング制御回路である。
【００１８】
図４は、表示画像処理回路１６２の概略構成を示すブロック図である。１６２１は、撮像部１３で撮像された画像を画像処理部１４で処理した画像信号（ＲＧＢ信号）を所定のレベルにクランプするクランプ回路である。なお、本実施形態では、ＲＧＢ信号を表示画像処理回路１６２に入力しているが、コンポジットビデオ信号または、輝度信号と色差信号を入力しても良い。また、本実施形態ではアナログ画像信号を表示画像処理回路１６２に入力しているが、デジタル画像信号を入力しても良い。
【００１９】
１６２２は、不要の周波数帯域信号を除去するフィルタ回路である。１６２３は、諧調レベルを補正するγ補正回路である。１６２４は、駆動制御回路１６３に与える画像信号を所定の値に設定するアンプ回路である。１６２５は、駆動制御回路１６３に与える画像信号を所定のタイミングでサンプルホールドするサンプルホールド回路である。１６２６は、駆動制御回路１６３に渡すためのバッファ処理を行うバッファ回路である。ＣＰＵ１２は、各回路１６２１〜１６２６に対して制御信号を発行することにより、各回路における処理の内容を変更することができる。
【００２０】
図５は、デジタルカメラ本体に対する液晶パネル表示部４の回転状態と、スキャン方向との関係を示す図である。また、図６は、本実施形態の液晶パネルの画素配列（デルタ配列）と液晶パネル位置とを対応づけた図である。
【００２１】
図５（ａ）は、液晶パネル表示部４が本体に収納されている状態であり、この状態でのスキャン方向を通常スキャンの方向とする。また、この状態では、図６のように、液晶素子は、横のスキャン方向に対しＢ・Ｒ・Ｇの順で並んでおり、縦のスキャン方向に対しＲ・Ｂの順で並んでいる。
【００２２】
図５（ｂ）は、液晶パネル表示部４が本体に対して開いている状態であり、この状態でのスキャン方向を左右反転スキャンの方向とする。また、この状態では、図６のように、液晶素子は、横のスキャン方向に対しＧ・Ｒ・Ｂの順で並んでおり、縦のスキャン方向に対しＲ・Ｂの順で並んでいる。なお、この表示状態は、例えば、対面撮影を行う際に有効に用いられる状態である。
【００２３】
図５（ｃ）は、液晶パネル表示部４が本体に対して開いておりかつ１８０度回転している状態であり、この状態でのスキャン方向を左右反転かつ上下反転スキャン方向とする。また、この状態では、図６のように、液晶素子は、横のスキャン方向に対しＧ・Ｒ・Ｂの順で並んでおり、縦のスキャン方向に対しＢ・Ｒの順で並んでいる。なお、この表示状態は、既に説明しているように、バリアングル撮影を行う際に有効に用いられる状態である。
【００２４】
図７は、図４に示すサンプルホールド回路１６２５の構成を示すブロック図であり、図８は、通常表示時と左右反転表示時におけるＳＨパルス出力パターンを示す図であり、このパターンは、タイミング制御回路部１６３の内部メモリにテーブルとして保持されている。
【００２５】
サンプルホールド回路部１６２５は、回転状態に応じて変化する液晶パネルの画素配列に合わせ、時間軸で各画像信号（Ｒ・Ｇ・Ｂ）を補正することができる。この補正ため、タイミング制御回路部１６３は、各色のＳ／Ｈ回路へのパルス入力のタイミングを制御する。
【００２６】
図８（ｂ）に示すように、タイミング制御回路部１６３は、水平同期信号ＨＣＫ１に基づき、Ａ，Ｂ，Ｃ，Ｄ（スルー）の４パターンのタイミング信号ＳＨを出力する。
【００２７】
図８（ａ）に示すように、サンプルホールド回路部１６２５は、通常スキャンによる液晶表示時の各画像信号は、Ｂ・Ｒ・Ｇの順、左右反転スキャン液晶表示時の各画像信号は、Ｇ・Ｒ・Ｂの順となるようにサンプリングタイミングを切り換える。
【００２８】
スキャン方向により、サンプルホールド回路部１６２５のサンプルホールド１段目に着目すると、Ｒ画像信号は通常スキャンの時、左右反転スキャンの時共にサンプルホールドパルスを同じタイミングで入力する。
【００２９】
一方、Ｂ画像信号及びＧ画像信号は、通常スキャンから左右反転スキャンに切り換った場合、スルーパルスとサンプルホールドパルスのタイミングが切り換る。
【００３０】
ここで、回路から出力される各信号のレベルは切り換えの前と同じであるべきだが、サンプルホールドのタイミングの違いにより、同じにはならない。
【００３１】
すなわち、タイミング変更の期間においても、各信号に関する内部ＤＣレベルが変動し、結果として出力段差が発生している。このため、表示方向の違いにより、輝度諧調及び色度ズレが発生することとなる。
【００３２】
上記の図８は、横方向の反転時の例であるが、縦方向の反転時においても、Ｒ・Ｇについて同様の出力段差とそれによる輝度諧調及び色度ズレが発生することとなる。
【００３３】
本実施形態では、このような輝度階調及び色度ズレの発生を回避するために、反転状態に応じて、ＬＣＤパネル表示部への設定処理を行う。
【００３４】
以上の構成を有するデジタルカメラにおける液晶パネル表示処理を、図９に示すフローチャートを参照して説明する。
【００３５】
まず、ステップＳ１０１において、ＣＰＵ１２は、液晶パネルの位置検出を行う。ここで、液晶パネル位置検出部１７は、装置の起動或いは装置使用中におけるスイッチ１７１の位置変化に応答して検出信号を出力しており、ＣＰＵ１２はこの信号を受けることで位置変化を検出する。
【００３６】
ステップＳ１０２で、ＣＰＵ１２は、液晶パネル位置検出部１７から受信した検出信号に基づき、液晶パネル表示部１６が開いているか閉じているか否かを判断する。
【００３７】
ステップＳ１０２において、液晶パネル表示部１６が閉じている判断した場合は、ステップＳ１０５へ進み、ＣＰＵ１２は、液晶パネル表示部１６に対して通常表示用の設定信号を出力する。
【００３８】
ここで、タイミング制御回路部１６３は、ＣＰＵ１２から受けた設定信号に基づき、サンプルホールド回路部１６２５が通常の画素配列（Ｂ・Ｒ・Ｇ）に対応したサンプリングを行えるようタイミング設定する。
【００３９】
また、タイミング制御回路部１６３は、ＣＰＵ１２から受けた設定信号に基づき、図５（ａ）に示したスキャン方向（通常スキャン方向）に液晶パネル部１６１をスキャンするよう、駆動制御回路１６３に対して制御信号を出力する。
【００４０】
さらに、ステップＳ１０７において、表示画像処理回路１６２は、ＣＰＵ１２から受けた設定信号に基づき、通常スキャン方向に対応した画像処理を行うよう処理設定値の変更を行う。
【００４１】
なお、装置の初期起動の際は自動的に通常表示用の処理設定がされているので、ステップＳ１０７の処理は、他の表示状態から遷移した場合に実行されるものである。
【００４２】
また、ＣＰＵ１２が出力する設定信号値は、後述の設定信号値も含め、ＣＰＵ１２が内蔵する不図示のＲＯＭに記憶され、読み出されて出力されるものである。
【００４３】
ステップＳ１０７の設定処理が終わると、ステップ１１０へ進み、ＣＰＵ１０１は、液晶パネル表示部１６４に対して画像信号を出力し、液晶パネル表示部１６４に通常表示を開始させる。
【００４４】
ここで表示画像処理回路１６２は、ステップＳ１０７での変更後の処理設定値に基づき、入力した画像信号のうち少なくとも１色の色信号の値を調整して出力する。
【００４５】
ステップ１０２において、液晶パネルが開いていると判断した場合、ステップＳ１０３に進み、ＣＰＵ１２は、さらに、液晶パネルが回転しているか否かを判断する。
【００４６】
液晶パネルが、回転していないと判断した場合、ステップＳ１０６へ進み、ＣＰＵ１２は、液晶パネル表示部に対して左右反転表示用の設定信号を出力する。
【００４７】
ここで、タイミング制御回路部１６３は、ＣＰＵ１２から受けた設定信号に基づき、サンプルホールド回路部１６２５が横方向に左右反転された画素配列（Ｂ・Ｒ・Ｇ）に対応したサンプリングを行えるようタイミング設定する。
【００４８】
また、タイミング制御回路部１６３は、ＣＰＵ１２から受けた設定信号に基づき、図５（ｂ）に示したスキャン方向（左右反転スキャン方向）に液晶パネル部１６１をスキャンするよう、駆動制御回路１６３に対して制御信号を出力する。
【００４９】
さらに、ステップＳ１０８において、表示画像処理回路１６２は、ＣＰＵ１２から受けた設定信号に基づき、左右反転スキャン方向に対応した画像処理を行うよう処理設定値の変更を行う。
【００５０】
ステップＳ１０８の設定処理が終わると、ステップＳ１１０へ進み、ＣＰＵ１２は、液晶パネル表示部１６４に対して画像信号を出力し、液晶パネル１６４に左右反転表示を開始させる。
【００５１】
ここで表示画像処理回路１６２は、ステップＳ１０８での変更後の処理設定値に基づき、入力した画像信号のうち少なくとも１色の色信号の値を調整して出力する。
【００５２】
一方、ステップＳ１０３において、液晶パネルが、回転していると判断した場合、ステップＳ１０４へ進み、ＣＰＵ１２は、液晶パネル表示部に対して左右上下反転表示用の設定信号を出力する。
【００５３】
タイミング制御回路部１６３は、ＣＰＵ１２から受けた設定信号に基づき、サンプルホールド回路部１６２５が、横方向に左右反転された画素配列（Ｂ・Ｒ・Ｇ）に対応したサンプリング、及び縦方向に上下反転された画素配列Ｂ・Ｒに対応したサンプリングを行えるようタイミング設定する。
【００５４】
また、タイミング制御回路部１６３は、ＣＰＵ１２から受けた設定信号に基づき、図５（ｃ）に示したスキャン方向（左右上下反転スキャン方向）に液晶パネル部１６１をスキャンするよう、駆動制御回路１６３に対して制御信号を出力する。
【００５５】
さらに、ステップＳ１０９において、表示画像処理回路１６２は、ＣＰＵ１２から受けた設定信号に基づき、左右上下反転スキャン方向に対応した画像処理を行うよう処理設定値の変更を行う。
【００５６】
ステップＳ１０８の設定処理が終わると、ステップ１１０へ進み、ＣＰＵ１２は、液晶パネル表示部１６４に対して画像信号を出力し、液晶パネル１６４に上下左右反転表示を開始させる。
【００５７】
ここで表示画像処理回路１６２は、ステップＳ１０９での変更後の処理設定値に基づき、入力した画像信号のうち少なくとも１色の色信号の値を調整して出力する。
【００５８】
次に、液晶パネルの画像調整のための設定値決定及び記憶処理の手順を、図１０に示すフローチャートを参照して説明する。
【００５９】
本処理は、例えば、工場出荷前の生産段階において実行することができる。しかし、これに限らず、カメラに画像調整値の設定モードを設け、ユーザ操作に応じて実行するようにしてもよい。
【００６０】
まず、ステップＳ２０１において、ＣＰＵ１２は、液晶パネルが通常表示位置にあることを示す検出信号が液晶パネル位置検出部１７から出力されることを待つ。
【００６１】
次のステップＳ２０２で、液晶パネル位置検出部１７からの検出信号の出力状態に基づき液晶パネルが通常表示位置にあるか否かを判断し、検出信号が出力されず通常表示位置にないと判断した場合は、再度、ステップ２０１に戻り、通常表示位置にあることを示す検出信号が出力されることを待つ。
【００６２】
検出信号が出力され通常表示位置にあると判断された場合、ステップＳ２０３へ進み、ＣＰＵ１２は、液晶パネル表示部１６に入力する各画像信号（Ｒ・Ｇ・Ｂ）出力を所望の値となるように調整する。
【００６３】
図１１は、通常表示を行う場合における、表示画像処理回路１６２から出力される５ステップ信号の例を示す図である。この図は、２つの水平走査期間におけるＧ画像信号の振幅を示すものである。ＣＰＵ１２は、所定の信号振幅となるように、Ｂｒｉｇｈｔレベル１１０１、Ｃｏｎｔｒａｓｔレベル１１０２の順に調整する。
【００６４】
ここで、Ｂｒｉｇｈｔレベル１１０１、Ｃｏｎｔｒａｓｔレベル１１０２は、図４のアンプ回路１６２４の設定値を変更することにより調整される。しかし、これに限らず、フィルタ回路１６２２及びγ補正回路１６２３等、他の画像処理回路の設定値を変更することにより調整できるよう構成してもよい。
【００６５】
次に、ステップＳ２０４で、ＣＰＵ１２は、ステップＳ２０３で決定した設定値を図示しないＲＯＭに格納する。
【００６６】
ステップＳ２０５では、液晶パネルが左右反転表示位置にあることを示す検出信号が液晶パネル位置検出部１７から出力されることを待つ。
【００６７】
次に、ステップＳ２０６で、液晶パネル位置検出部１７からの検出信号の出力状態に基づき液晶パネルが左右反転表示位置にあるか否かを判断し、検出信号が出力されず左右反転表示位置にないと判断した場合は、再度、ステップＳ２０５に戻り、左右反転表示位置にあることを示す検出信号が出力されることを待つ。
【００６８】
検出信号が出力され、左右反転表示位置にあると判断された場合、ステップＳ２０７へ進み、ＣＰＵ１２は、液晶パネル表示部１６に入力する各画像信号（Ｒ・Ｇ・Ｂ）出力を所望の値となるように調整する。
【００６９】
図１２は、左右反転表示を行う場合における、表示画像処理回路１６２からの出力信号の例を示す図である。
【００７０】
図１２において、実線で表される信号が、表示画像処理回路１６２から出力されるＧ画像信号であり、表示画像処理回路１６２へ入力される画像信号は通常表示の場合と同じであるにもかかわらず、出力信号値は大きく異なる。
【００７１】
この差異は、既に述べたように、液晶パネル位置変化に応じてサンプルホールド回路１６２５の処理タイミングが変化することに起因するものである。
【００７２】
本実施形態では、左右反転表示時の各画像信号（Ｒ・Ｇ・Ｂ）を通常表示時のＧ画像信号の信号振幅を基準信号振幅として、同じ信号振幅値となるように、各画像信号（Ｒ・Ｇ・Ｂ）のＢｒｉｇｈｔレベルとＣｏｎｔｒａｓｔレベルの調整を行う。
【００７３】
例えば、図１２において、Ｂｒｉｇｈｔレベル１２０２とＣｏｎｔｒａｓｔレベル１２０１が、点線で表される通常表示時のＢｒｉｇｈｔレベル１１０２とＣｏｎｔｒａｓｔレベル１１０１となるように調整する。
【００７４】
本実施形態では、通常表示時のＧ画像信号の信号振幅を基準信号振幅としているが、通常表示時の各画像信号（Ｒ・Ｇ・Ｂ）夫々を基準として、左右反転表示時の各画像信号（Ｒ・Ｇ・Ｂ）を対応させて調整しても構わない。
【００７５】
次に、ステップＳ２０８で、ステップＳ２０３で決定した設定値を図示しないＲＯＭに格納する。
【００７６】
次に、ステップＳ２０９へ進み、液晶パネルが左右反転表示位置にあることを示す検出信号が液晶パネル位置検出部１７から出力されることを待つ。
【００７７】
ステップ２１０で、液晶パネル位置検出部１７からの検出信号の出力状態に基づき液晶パネルが上下左右反転表示位置にあるか否かを判断し、検出信号が出力されず左右反転表示位置にないと判断した場合は、再度、ステップＳ２０９に戻り、左右反転表示位置にあることを示す検出信号が出力されることを待つ。
【００７８】
検出信号が出力され、上下左右反転表示位置にあると判断された場合、ステップＳ２１１へ進み、ＣＰＵ１２は、液晶パネル表示部１６に入力する各画像信号（Ｒ・Ｇ・Ｂ）出力を所望の値となるように調整する。
【００７９】
デルタ配列の液晶パネルを使用した場合、縦方向の画素配置は、横方向とでは画素配置が多少異なるが、横方向と同様の色合いの変化が起こることは、図６からも明らかであり、ステップＳ２１１では、ステップＳ２０７と同様の画像信号調整を行う。
【００８０】
そして、ステップＳ２１２で、ステップＳ２１１で決定した設定値を図示しないＲＯＭに格納して終了する。
【００８１】
以上の処理により決定されＲＯＭに記憶された設定値は、図９の表示処理の際に画像信号の調整のために用いられることになる。
【００８２】
以上説明したように、本実施形態によれば、反転表示時の出力値が通常表示時の値と同じになるように調整することで、サンプルホールドのタイミング等、画像処理回路の特性に起因する色合いの変化を無くすことができる。
【００８３】
（他の実施形態）
上記実施形態では、実際に、デジタルカメラを動作させ表示画像処理回路１６２の出力信号値を見て調整しながら、処理設定を行ったが、本発明の処理設定はこれに限るものではない。例えば、画素配列の位置情報、サンプルホールドのタイミング情報、及びサンプルホールド時における入力信号の振幅値変化特性の情報等が分かっていれば、コンピュータによる数値計算により、予め画像処理回路の処理設定値を決定し記憶させておくとも可能である。
【００８４】
上記実施形態では、表示画像処理回路１６２の処理設定を変更することにより出力値の調整を行ったが、本発明はこれに限らず、液晶パネル表示部１６に入力する画像信号を表示方式に応じて、信号値自体の変化させることでも、同様の作用効果を得ることができる。
【図面の簡単な説明】
【００８５】
【図１】本発明の実施形態に係るデジタルカメラの概要を示す構成図である。
【図２】図１に示すデジタルカメラの制御部のブロック図である。
【図３】液晶パネル表示回路のブロック図である。
【図４】画像処理回路のブロック図である。
【図５】デジタルカメラ本体に対する液晶パネル表示部４の回転状態と、スキャン方向との関係を示す図である。
【図６】本実施形態の液晶パネルの画素配列（デルタ配列）と液晶パネル位置とを対応づけた図である。
【図７】サンプルホールド回路のブロック図である。
【図８】通常表示時と左右反転表示時におけるＳＨパルス出力パターンを示す図である。
【図９】液晶パネル表示処理シーケンスのフローチャートである。
【図１０】液晶パネルの画像調整のための設定値決定及び記憶処理の手順を示すフローチャートである。
【図１１】通常表示を行う場合における、表示画像処理回路からの出力信号の例を示す図である。
【図１２】左右反転表示を行う場合における、表示画像処理回路１６２からの出力信号の例を示す図である。
【符号の説明】
【００８６】
１  デジタルカメラ本体
２  モード切換え兼用電源スイッチ
３  レリーズスイッチ
４  液晶表示パネル
５  メニュー選択キー
６  十字操作キー
１１  電源供給部
１２  ＣＰＵ
１３  撮像部
１４  画像処理部
１５  記憶部
１６  液晶パネル表示部
１６１  液晶パネル
１６２  画像処理回路
１６３  駆動制御回路
１６４  タイミング制御回路
１７  液晶パネル位置検出部
１７１  開閉検出スイッチ
１７２  アングル検出スイッチ
１８  操作部
【図１】
2006018226.tif 000003
【図２】
2006018226.tif 000004
【図３】
2006018226.tif 000005
【図４】
2006018226.tif 000006
【図５】
2006018226.tif 000007
【図６】
2006018226.tif 000008
【図７】
2006018226.tif 000009
【図８】
2006018226.tif 000010
【図９】
2006018226.tif 000011
【図１０】
2006018226.tif 000012
【図１１】
2006018226.tif 000013
【図１２】
2006018226.tif 000014